(57)【要約】【課題】防水層の補修を抑制することが可能となるうえ、補修時期や補修部位を目視により簡単に判断することができ、補修にかかる時間やコストの低減を図ることができる。【解決手段】防水床１は、スラブＲ上に設けられる防水層２と、防水層２の上層に設けられる防滑層３と、防滑層３の表面を保護するトップコート層４と、を有する積層構造をなし、防滑層３には、この防滑層３の厚さ方向で中間部に層状に形成されるとともに、前記積層構造のうち他の部分とは異なる色で層状に形成された着色層５を有する構成の防水床１を提供する。【選択図】図１
2014125873.tif 000002
【特許請求の範囲】
【請求項１】
屋上駐車場のスラブ上に設けられる防水層と、該防水層の上層に設けられる防滑層と、該防滑層の表面を保護するトップコート層と、を有する積層構造をなすメンテナンスサインを備えた防水床構造であって、
前記防滑層は、当該防滑層の少なくとも一部が、前記積層構造のうち他の部分とは異なる色で層状に形成された着色層を有していることを特徴とするメンテナンスサインを備えた防水床構造。
【請求項２】
前記着色層は、防滑材に着色トナーを混ぜて形成されていることを特徴とする請求項１に記載のメンテナンスサインを備えた防水床構造。
【請求項３】
前記着色層は、前記防滑層の厚さ方向で中間部に介挿されていることを特徴とする請求項１又は２に記載のメンテナンスサインを備えた防水床構造。
【請求項４】
前記着色層は、前記防滑層の厚さ方向で最下層に配置されていることを特徴とする請求項１乃至３のいずれか１項に記載のメンテナンスサインを備えた防水床構造。
【請求項５】
前記着色層は、前記屋上駐車場のうち自動車の走行範囲は、前記着色層よりも上の厚さ寸法が他の部分よりも厚いことを特徴とする請求項１乃至４のいずれか１項に記載のメンテナンスサインを備えた防水床構造。
【請求項６】
屋上駐車場のスラブ上に防水層を設ける工程と、
該防水層の上層に防滑層を設けるとともに、当該防滑層の少なくとも一部が積層構造のうち他の部分とは異なる色で層状に形成された着色層を設ける工程と、
前記防滑層の表面をトップコート層で被覆する工程と、
を有することを特徴とする防水床構造の施工方法。
【発明の詳細な説明】
【技術分野】
【０００１】
本発明は、建物の屋上駐車場に用いられるメンテナンスサインを備えた防水床構造、及びその施工方法に関する。
【背景技術】
【０００２】
従来、例えば大型ショッピングセンターなどの建物では、屋上のスペースを有効活用するための屋上に自走式駐車場を備えた構造のものが知られている。このような屋上駐車場では、屋上スラブのコンクリート上に塗膜防水のみで防水した防水床構造を採用することがある（例えば、特許文献１参照）。
【０００３】
このような防水床構造は、例えばスラブ上に下層から上層に向けてプライマー層、防水層、防滑層、トップコート層の順で積層され、自動車の走行に伴う摩耗によって損傷した各層は適宜、補修されている。
【先行技術文献】
【特許文献】
【０００４】
【特許文献１】特開２０００−７９８６号公報
【発明の概要】
【発明が解決しようとする課題】
【０００５】
しかしながら、従来の屋上駐車場に使用される防水床構造は、自動車の走行における規定を超える使用によっては、予想と実際の使われ方が食い違い、例えば、駐車場の場合には比較的同じ部分を繰り返し自動車が走行することから、トップコート層及び防滑層の摩耗の進行が想定よりも早く、この状態を見逃すと、摩耗が防滑層の下の防水層にまで達してしまい、漏水が発生するという問題があった。その場合、補修にかかる時間とコストが多大となることから、防水層を補修しないようにメンテナンスを計画することが求められているが、好適な方法がなく、その点で改善の余地があった。
【０００６】
本発明は、上述する問題点に鑑みてなされたもので、防水層の補修を抑制することが可能となるうえ、補修時期や補修部位を目視により簡単に判断することができ、補修にかかる時間やコストの低減を図ることができるメンテナンスサインを備えた防水床構造を提供することを目的とする。
【課題を解決するための手段】
【０００７】
上記目的を達成するため、本発明に係るメンテナンスサインを備えた防水床構造では、屋上駐車場のスラブ上に設けられる防水層と、防水層の上層に設けられる防滑層と、防滑層の表面を保護するトップコート層と、を有する積層構造をなすメンテナンスサインを備えた防水床構造であって、防滑層は、防滑層の少なくとも一部が、積層構造のうち他の部分とは異なる色で層状に形成された着色層を有していることを特徴としている。
【０００８】
また、本発明に係る防水床構造の施工方法では、屋上駐車場のスラブ上に防水層を設ける工程と、防水層の上層に防滑層を設けるとともに、防滑層の少なくとも一部が積層構造のうち他の部分とは異なる色で層状に形成された着色層を設ける工程と、防滑層の表面をトップコート層で被覆する工程と、を有することを特徴としている。
【０００９】
本発明では、防水床を構成する積層構造のうち着色層よりも上の層が自動車の走行などにより摩耗したときに着色層が露出する。そして、着色層と積層構造のうち他の部分との色が異なるので、摩耗により露出した着色層を他の層の他の色の部分に対して判別することが容易になる。つまり、防水層の上層の防滑層の少なくとも一部に、積層構造のうち他の部分とは異なる色の着色層を設けることで、屋上駐車場の使用頻度、使用状況に合わせて着色層より上層が摩耗により剥がれると、着色層が表面側で露出し、その着色層の露出部分が防水床で色が変わった部分となる。そして、着色層は防水層よりも上層側に配置されているので、着色層が露出した状態において防水層が摩耗していないことになる。そのため、着色層は、その色が変わった部分（着色層の露出部分）が現れた時点で、補修部位及び補修時期を判断するためのメンテナンスサインとなる。したがって、補修部位及び補修時期を確認するために、従来のように技術的な知識を有する管理者でなくとも、その露出したメンテナンスサインを目視により容易に確認することができる。
【００１０】
具体的には、着色層が防水床の表面に露出した着色層部分のみを日常点検により確認し、定期的に摩耗により損傷した防水床の補修を行う。この場合、防水層が摩耗する前に補修することができ、防滑層及びトップコート層の補修のみで済むことから、防水層を含めた塗膜防水材の全体を更新するというコストのかかるメンテナンスが不要となり、ライフサイクルコストの低減を図ることができる。
【００１１】
また、本発明に係るメンテナンスサインを備えた防水床構造では、着色層は、防滑材に着色トナーを混ぜて形成されていることが好ましい。
【００１２】
この場合には、防滑材に着色トナーを混ぜて吹付け等により塗布することで着色層を容易に形成することができる。防滑層が複数の層から形成される場合であっても、それら複数層の任意の位置に着色層を設けることができる。
【００１３】
また、本発明に係るメンテナンスサインを備えた防水床構造では、着色層は、防滑層の厚さ方向で中間部に介挿されていることが好ましい。
【００１４】
この場合、防滑層の厚さ方向で中間部に着色層があるので、防滑層のうち着色層よりも上層部分が摩耗により損傷すると、着色層が現れてメンテナンスサインとなる。また、着色層が摩耗して損傷しても、さらに着色層より下層にも防滑層があるので、防水層への摩耗の影響を小さくすることができる。
【００１５】
また、本発明に係るメンテナンスサインを備えた防水床構造では、着色層は、防滑層の厚さ方向で最下層に配置されていることが好ましい。
【００１６】
この場合、着色層よりも上の防滑層の厚さ寸法が厚くなるように形成されているので、着色層が現れるメンテナンスサインが出るまでの期間を長く延ばすことができ、とくに自動車の走行量が多く摩耗の進行が早い箇所に適用することで、着色層が現れるまでの時間を延ばすことができ効果的なメンテナンスが可能となる。また、この場合、着色層の直下に防水層が位置していることから、着色層が現れたときが速やかに補修を行う時期であることを確認することができる。
【００１７】
また、本発明に係るメンテナンスサインを備えた防水床構造では、着色層は、屋上駐車場のうち自動車の走行範囲は、着色層よりも上の厚さ寸法が他の部分よりも厚いことが好ましい。
【００１８】
本発明によれば、屋上駐車場のうち防水床の摩耗による損傷の大きな自動車の走行部分は、他の部分よりも着色層上の厚さ寸法が厚く形成されているので、着色層が現れるメンテナンスサインが出るまでの期間を長く延ばすことができる。
【発明の効果】
【００１９】
本発明のメンテナンスサインを備えた防水床構造、及びその施工方法によれば、摩耗によって防水層が損傷する前に補修時期を確認することで防水層の補修を抑制することが可能となるとともに、防水床の補修時期や補修部位を目視により容易に判断することができるので、補修にかかる時間やコストの低減を図ることができる。
【図面の簡単な説明】
【００２０】
【図１】本発明の実施の形態による防水床の一部を示す側断面図である。
【図２】防水床の摩耗状態を示す側断面図であって、（ａ）は着色層の露出前の図、（ｂ）は着色層の露出時の図である。
【図３】図２（ｂ）を上から見た図であって、着色層の露出状態の一例を示す図である。
【図４】変形例による第１防水床の一部を示す側断面図である。
【図５】変形例による第２防水床の一部を示す側断面図である。
【図６】変形例による第３防水床の一部を示す側断面図である。
【発明を実施するための形態】
【００２１】
以下、本発明の実施の形態によるメンテナンスサインを備えた防水床構造、及びその施工方法について、図面に基づいて説明する。
【００２２】
図１に示すように、本実施の形態によるメンテナンスサインを備えた防水床構造は、屋上駐車場のコンクリート造のスラブＲ上に施工される防水床１に適用され、この防水床１の補修時期を好適に判断するための構造である。
ここで、本実施の形態では、防水床１の厚さ方向において、上側を表面側といい、下側を裏面側として、以下説明する。
【００２３】
防水床１は、スラブＲ上に設けられる防水層２と、防水層２の上層に設けられる防滑層３と、防滑層３の表面を保護するトップコート層４と、を有する積層構造をなしている。そして、防滑層３には、この防滑層３の厚さ方向で中間部に層状に形成されるとともに、前記積層構造のうち他の部分とは異なる色で層状に形成された着色層５を有している。これらの各層は、それぞれの材料を吹き付け等により下層から順に塗布することにより形成される。
なお、図１は、見やすくするため、各層間に段差をつけた図としている。
【００２４】
防水層２は、ウレタン樹脂系の一般用防水樹脂材料からなり、スラブＲの表面に塗布されたプライマー層６上に設けられている。
【００２５】
防滑層３は、複数層（ここでは、７層の非着色層３Ａ〜３Ｆ及び前記着色層５）からなり、厚さ方向の中間に着色層５が設けられている。すなわち着色層５の上下それぞれに３層ずつ設けられている。防滑層３は、防水層２の材料とは異なるウレタン樹脂系の一般用防水樹脂材料からなり、骨材等の滑り止め材料が混入された防滑材が用いられる。
【００２６】
着色層５は、前述した防滑層３を形成するウレタン樹脂系の防滑材に任意の色の着色トナーを混合することにより設けられている。また、着色トナーを混合させるものに限定されず、厚さの薄い着色層５を防滑層３の複数の層間に挿入させるようにしても良い。
【００２７】
そして、着色層５の色は、防水床１のうち他の層の色がグレーの場合において、変色しにくい緑色（グリーン）が好ましい。例えば、着色層５が黄色の場合、紫外線により変色し易く、他の層の色（ここではグレー）と比べて見分けがつき難くなる。なお、前述の着色層５がグリーンの場合、露出してから約半年を経過しても変色が小さく、他の部分の層のグレー色と色の違いが明確であることを実験的に確認している。
【００２８】
次に、上述したメンテナンスサインを備えた防水床構造の作用、及びその施工方法について、図面に基づいて詳細に説明する。
本実施の形態の防水床１は、図１に示すように、屋上駐車場のスラブＲ上にプライマー層６を塗布した後、さらに防水層２を設け、防水層２の上層に防滑層３を設けるとともに、防滑層３の中間部に積層構造のうち他の部分のグレー色とは異なるグリーン色で層状に形成された着色層５を設け、その後、防滑層３の表面をトップコート層４で被覆することにより形成することができる。
【００２９】
この場合、図２（ａ）、（ｂ）及び図３に示すように、防水床１を構成する積層構造のうち着色層５よりも上の層が自動車の走行などにより摩耗したときに着色層５が露出する。図２に示す符号Ｍは、摩耗部を示している。そして、着色層５と積層構造のうち他の部分（防滑層３のうち着色層５より上層の非着色層３Ｄ〜３Ｆ）との色が異なるので、摩耗により露出した着色層５を他の層の他の色の部分に対して判別することが容易になる。つまり、防水層２の上層の防滑層３の一部に、積層構造のうち他の部分とは異なる色の着色層５を設けることで、屋上駐車場の使用頻度、使用状況に合わせて着色層５より上層が摩耗により剥がれると、着色層５が表面側で露出し、その着色層５の露出部分が防水床１で色が変わった部分となる。そして、着色層５は防水層２よりも上層側に配置されているので、着色層５が露出した状態において防水層２が摩耗していないことになる。そのため、着色層５は、その色が変わった部分（着色層５の露出部分）が現れた時点で、補修部位及び補修時期を判断するためのメンテナンスサインとなる。
したがって、補修部位及び補修時期を確認するために、従来のように技術的な知識を有する管理者でなくとも、その露出したメンテナンスサインを目視により容易に確認することができる。
【００３０】
さらに具体的には、着色層５が防水床１の表面に露出した着色層５の部分のみを日常点検により確認し、定期的に摩耗により損傷した防水床１の補修を行う。この場合、防水層が摩耗する前に補修することができ、防滑層３（着色層５）及びトップコート層４の補修のみで済むことから、防水層２を含めた塗膜防水材の全体を更新するというコストのかかるメンテナンスが不要となり、ライフサイクルコストの低減を図ることができる。
【００３１】
また、本実施の形態では、防滑材に着色トナーを混ぜて吹付け等により塗布することで着色層５を容易に形成することができる。防滑層３が複数の層から形成される場合であっても、それら複数層の任意の位置に着色層５を設けることができる。
【００３２】
また、防滑層３の厚さ方向で中間部に着色層５があるので、防滑層３のうち着色層５よりも上層部分が摩耗により損傷すると、着色層５が現れてメンテナンスサインとなる。また、着色層５が摩耗して損傷しても、さらに着色層５より下層にも防滑層３（非着色層３Ａ〜３Ｃ）があるので、防水層２への摩耗の影響を小さくすることができる。
【００３３】
上述のように本実施の形態によるメンテナンスサインを備えた防水床構造、及びその施工方法では、摩耗によって防水層２が損傷する前に補修時期を確認することで防水層２の補修を抑制することが可能となるとともに、防水床１の補修時期や補修部位を目視により容易に判断することができるので、補修にかかる時間やコストの低減を図ることができる。
【００３４】
以上、本発明によるメンテナンスサインを備えた防水床構造、及びその施工方法の実施の形態について説明したが、本発明は上記の実施の形態に限定されるものではなく、その趣旨を逸脱しない範囲で適宜変更可能である。
【００３５】
例えば、本実施の形態では、着色層５が防滑層３の一部であって、防滑層３の厚さ方向の中間部分に設けられているが、このような位置であることに制限されることはない。また、本実施の形態の防水床１では、屋上駐車場の全体にわたって同一の積層構造となっているが、これに限定されることはない。要は、防滑層３が防滑層３の少なくとも一部が、他の層とは異なる色で層状に形成された着色層を有していればよいのである。
【００３６】
例えば、図４〜図６に示すように、防滑層３の積層数を屋上駐車場の使用用途や自動車の走行状況（走行頻度）に応じて、屋上駐車場のうち自動車の走行範囲における着色層５よりも上の厚さ寸法を、他の部分よりも厚くなるように設定することも可能である。図４は、屋上駐車場のうち駐車スペースにおける第１防水床１Ａを示している。この第１防水床１Ａは、防滑層３が１層のみであり、この１層の防滑層３全体を着色層５とした構成となっている。この場合、トップコート層４の下面側に着色層５が位置するので、そのトップコート層４が摩耗により削れると、直ぐに防滑層３、すなわちグリーンの着色層５が露出することになる。
【００３７】
ここで、屋上駐車場には、２種類の車路が設けられている。
図５は、屋上駐車場のうち第１車路における第２防水床１Ｂを示している。この第２防水床１Ｂは、防滑層３が２層あり、この２層の防滑層３のうち下側の層のみを着色層５とし、上側の層を非着色層３Ａとした構成となっている。この場合、トップコート層４の下面側に１層の非着色（ここではグレー）の非着色層３Ａが位置するので、トップコート層４及び非着色層３Ａが摩耗により削れたときに、グリーンの着色層５が露出することになる。
【００３８】
図６は、屋上駐車場のうち第２車路における第３防水床１Ｃを示している。この第３防水床１Ｃは、防滑層３が３層あり、この３層の防滑層３のうち最下層のみを着色層５とし、その上側の２層を非着色層３Ａ、３Ｂとした構成となっている。この場合、トップコート層４の下面側に２層の非着色（ここではグレー）の非着色層３Ａ、３Ｂが位置するので、トップコート層４及び非着色層３Ａ、３Ｂが摩耗により削れたときに、グリーンの着色層５が露出することになる。
【００３９】
このように、屋上駐車場のうち防水床１の摩耗による損傷の大きな自動車の走行部分となる車路（第１車路、第２車路）は、駐車スペース（他の部分）よりも着色層５上の厚さ寸法が厚く形成されているので、着色層が現れるメンテナンスサインが出るまでの期間を長く延ばすことができる。
また、図４〜図６に示す防水床１Ａ〜１Ｃの場合には、着色層５の直下に防水層２が位置していることから、この着色層５が現れたときが速やかに補修を行う時期であることを確認することができる。
【００４０】
また、本実施の形態では、着色層５の色として、最も色の変色が少ないグリーンを採用し、着色層５でない他の層の色をグレーとしているが、このような色の組み合わせであることに制限されることはなく、任意の色の組み合わせに設定することができる。要は、着色層の色の変色が少なく、且つ他の部分との色の違いが明確であれば良いのである。
【００４１】
さらに、本実施の形態では、１層の着色層５のみが防滑層３に介挿されているが、複数の着色層５を配置することも可能である。そして、複数の着色層５の色をそれぞれ変えるようにしてもよい。例えば、防滑層３の厚さ方向の中間部に第１着色層を配し、さらに最下層に第１着色層とは異なる色の第２着色層を配する構成とすることができる。あるいは、それぞれ色の異なる複数の着色層を上下に連続的に積層した構成でも良い。このように複数の着色層を設けることで、例えば上側の着色層が現れたときには摩耗の初期段階であることを確認し、下側の着色層が現れたときには補修のタイミングであることを確認する等、防水床の摩耗状態を段階的に判別することができる。
【００４２】
その他、本発明の趣旨を逸脱しない範囲で、上記した実施の形態における構成要素を周知の構成要素に置き換えることは適宜可能である。
【符号の説明】
【００４３】
１、１Ａ〜１Ｃ  防水床
２  防水層
３  防滑層
３Ａ〜３Ｆ  非着色層
４  トップコート層
５  着色層
６  プライマー層
Ｍ  摩耗部
Ｒ  スラブ
【図１】
2014125873.tif 000003
【図２】
2014125873.tif 000004
【図３】
2014125873.tif 000005
【図４】
2014125873.tif 000006
【図５】
2014125873.tif 000007
【図６】
2014125873.tif 000008